(57)【要約】【課題】タッチパネル付き表示部からの誤入力を防止する。【解決手段】本体１に被加熱物を収納する加熱室２と、加熱室２の前面を覆うドア３と、前記被加熱物を加熱する加熱手段と、該加熱手段を制御する制御手段９と、本体１またはドア３に設け前記加熱手段の加熱条件を複数の条件から希望する調理のメニューを設定するために複数回の設定を行うために階層を深くして導くタッチパネル付き表示部７０を設けた操作表示部６とを備え、タッチパネル付き表示部７０は、メニューや設定内容を表示する液晶表示器３７と、液晶表示器３７の上面に幅方向と縦方向に複数の透明電極を設け該電極の個々の静電容量の変化を検出するために幅方向と縦方向にマトリックスを構築したタッチパネル３８とを備え、タッチパネル３８は、液晶表示器３７より大きく液晶表示器３７より外周側に前記電極を有したダミー部分を設けたものである。【選択図】  図８
2012247144.tif 000002
【特許請求の範囲】
【請求項１】
本体に被加熱物を収納する加熱室と、該加熱室の前面を覆うドアと、前記被加熱物を加熱する加熱手段と、該加熱手段を制御する制御手段と、前記本体または前記ドアに設け前記加熱手段の加熱条件を複数の条件から希望する調理のメニューを設定するために複数回の設定を行うために階層を深くして導くタッチパネル付き表示部を設けた操作表示部とを備え、
前記タッチパネル付き表示部は、メニューや設定内容を表示する液晶表示器と、該液晶表示器の上面に幅方向と縦方向に複数の透明電極を設け該電極の個々の静電容量の変化を検出するために幅方向と縦方向にマトリックスを構築したタッチパネルとを備え、
該タッチパネルは、前記液晶表示器より大きく該液晶表示器より外周側に前記電極を有したダミー部分を設けたことを特徴とする加熱調理器。
【発明の詳細な説明】
【技術分野】
【０００１】
本発明は、加熱調理器の操作部の構造に関するものである。
【背景技術】
【０００２】
従来の、加熱調理器等で構成される操作部は、特許文献１に示すように、トッププレートに設けた液晶表示部の手前側に、割り当てられた制御命令を制御部に入力するキー電極を一列に備えた静電容量式タッチスイッチで、キー電極が配置される近傍である上部とキー電極間にキャンセル電極を設け意図しない操作入力を防止するものがある。
【先行技術文献】
【特許文献】
【０００３】
【特許文献１】国際公開第２００９／００１５４４号
【発明の概要】
【発明が解決しようとする課題】
【０００４】
しかし、特許文献１に示す加熱調理器は、入力するキー電極の間を広く設け、その間にキャンセル電極を設ける必要がありデザインや機能に制約が発生する。
【課題を解決するための手段】
【０００５】
本発明は、上記の問題を解決するためになされたものであり、本体に被加熱物を収納する加熱室と、該加熱室の前面を覆うドアと、前記被加熱物を加熱する加熱手段と、該加熱手段を制御する制御手段と、前記本体または前記ドアに設け前記加熱手段の加熱条件を複数の条件から希望する調理のメニューを設定するために複数回の設定を行うために階層を深くして導くタッチパネル付き表示部を設けた操作表示部とを備え、前記タッチパネル付き表示部は、メニューや設定内容を表示する液晶表示器と、該液晶表示器の上面に幅方向と縦方向に複数の透明電極を設け該電極の個々の静電容量の変化を検出するために幅方向と縦方向にマトリックスを構築したタッチパネルとを備え、該タッチパネルは、前記液晶表示器より大きく該液晶表示器より外周側に前記電極を有したダミー部分を設けたものである。
【発明の効果】
【０００６】
本発明によれば、操作表示部を雑巾で拭いても誤入力を防止することができる。
【図面の簡単な説明】
【０００７】
【図１】一実施例の加熱調理器の正面図。
【図２】同加熱調理器のカバーを取外してドアが開いた状態の正面斜視図。
【図３】図１のＺ−Ｚ断面図。
【図４】一実施例の加熱調理器のＬＥＤ表示部の説明図。
【図５】同加熱調理器の操作表示部のタッチパネル付き表示部と操作キー群の説明図。
【図６】同加熱調理器の操作表示部。
【図７】同加熱調理器の操作表示部の分解説明図。
【図８】同加熱調理器の操作表示部のタッチパネル付き表示部の正面説明図。
【図９】同加熱調理器の操作表示部の“簡単レンジ”の操作を（ａ）から（ｄ）に従って説明する説明図。
【図１０】同加熱調理器の操作表示部の“簡単レンジ”の状態を（ａ）から（ｂ）に従って説明する説明図ある。
【発明を実施するための形態】
【０００８】
以下、本発明の一実施例について添付図面を用いて詳細に説明する。
【０００９】
図１〜図３に示すように、本実施例の加熱調理器は、本体１に加熱調理する食品等の被調理物を収容する加熱室２と、加熱室２の前方に設けられ被調理物を出し入れする開閉自在なドア３と、加熱室２の底面に設けられた被調理物を載置する回転しないテーブル４とを備えている。なお、この構成はいわゆるターンテーブルレス式と言われるものである。ドア３は上部に取っ手２６を備えている。
【００１０】
テーブル４の下部には、テーブル４を支える重量センサー５ａ，５ｂ，５ｃを備えており、この重量センサー５ａ，５ｂ，５ｃで検出される被調理物の重量に応じて調理時間を決定することができる。
【００１１】
また、加熱室２内の左奥上部には、サーミスタで構成する温度センサー４０が設けられており、この温度センサー４０が検出する温度に応じて調理出力，調理時間等を決定することもできる。これに赤外線センサーなどを用いてもよい。
【００１２】
また、ドア３の中央部には大きく形成されたガラスから成る窓部２３を備えており、調理中の加熱室２内を覗き見ることができる。さらにドア３の下側には操作表示部６が設けられている。
【００１３】
２５は加熱調理器の両側面と上面を覆うカバーである。
【００１４】
そして、本実施例の加熱調理器は、電子レンジ調理を行うレンジ加熱手段，オーブン調理を行うオーブン加熱手段，グリル調理を行うグリル加熱手段，スチーム調理を行うスチーム加熱手段の４種類の加熱手段を単独もしくは組み合わせて行うことにより多様な調理を行うことができる。
【００１５】
まず、図２，図３を用いて加熱手段について説明する。
【００１６】
電子レンジ調理は、テーブル４上に載置した被調理物にマイクロ波を与え、被調理物内の水分等の分子を振動させることで発生する摩擦熱によって積極的に被調理物を加熱する調理方法である。この電子レンジ調理の特徴としては、被調理物の表面と内部の温度を同時に短時間で加熱して上昇させることが挙げられる。
【００１７】
電子レンジ調理を行うためのレンジ加熱手段は、電子レンジ調理の加熱源であるマイクロ波を発振するマグネトロン７と、マグネトロン７から発振するマイクロ波の出力を制御するインバータ基板８を備えている。このインバータ基板８は制御手段９により制御され所望のマイクロ波を被調理物に与え電子レンジ加熱を行うことができる。
【００１８】
また、マグネトロン７から発振したマイクロ波を加熱室２に導く導波管１０と、加熱室２にマイクロ波を攪拌しながら照射する回転アンテナ１１と、回転アンテナ１１を回転させるアンテナモータ１２を備えており、マイクロ波が一部に集中するのを防ぐため、制御手段９がアンテナモータ１２を制御して回転アンテナ１１を回転させて所望の攪拌動作を行っている。
【００１９】
そして、マグネトロン７と、導波管１０と、回転アンテナ１１と、アンテナモータ１２は加熱室底２ａと底板３０との間の機械室１３に配置している。
【００２０】
次に、グリル調理について説明する。加熱室２の上壁面の外側に電熱ヒータ１４を備えている。この電熱ヒータ１４は制御手段９により制御され、加熱室２の上壁面を適切な温度にすることで、テーブル４上に載置した被調理物に所望の輻射熱（遠赤外線）を与えて被調理物を表面から焼き上げる加熱方法でグリル調理を行う。
【００２１】
次に、オーブン調理について説明する。オーブン調理は、テーブル４上に載置した被調理物に、加熱室奥２ｂの外側に設けた熱風ユニット１５により被調理物に熱風を与えることにより被調理物を加熱する加熱方法である。
【００２２】
オーブン調理を行うためのオーブン加熱手段は熱風ユニット１５によって構成され、熱風ユニット１５は、加熱室奥２ｂのほぼ中央に回転自在に設けられたファン等の送風手段１６と、この送風手段１６の空気流の流出側に設けられた電熱ヒータ１７と、送風手段１６に連結されたモータ１８とで構成される。
【００２３】
そして、電熱ヒータ１７付近の孔２１から出た熱風は被調理物を加熱し、被調理物を加熱した後の風は加熱室奥２ｂの略中央部に設けられた孔２２を介して再び熱風ユニット１５に取り込まれる。
【００２４】
次に、スチーム調理について説明する。スチーム調理は、テーブル４上に載置した被調理物にスチームを与え、被調理物を加熱する調理方法である。
【００２５】
スチーム調理を行うためのスチーム加熱手段は、図１に示すように、加熱室２の下に着脱自在のタンク５０を備え、タンク５０の水をパイプ５１を通して給水手段１９で吸い上げてパイプ５２で供給された水をヒータによって加熱してスチームを発生させる蒸気発生手段２０を備えている。蒸気発生手段２０は加熱室側面２ｃの外側に設けられ加熱室２に噴出口７ａを出している。
【００２６】
この給水手段１９と蒸気発生手段２０は制御手段９により制御され、加熱室２に所望の量のスチームを供給する。
【００２７】
次に、ドア３の下側に設けられた操作表示部６とドア３の窓部２３の下部に設けたＬＥＤ表示部１００について図１，図３〜図７を用いて詳細に説明する。
【００２８】
操作表示部６は、ドア３の横幅全体に渡って設け、その操作表示部６の横幅の略中央にタッチパネル付き表示部７０（詳細は後述）と、タッチパネル付き表示部７０の右に隣接して、横２個で２段に配列した４個の操作キーでなる操作キー群６０と、その右側で上側に「あたため／スタート」キー５２、下側に「とりけし」キー５３を上下に並べて設けている。操作表示部６は、図３に示すようにタッチパネル付き表示部７０を構成する後述の液晶表示器３７の視認性とタッチパネル３８の操作性を向上するために、垂直に対して約１０度上向きに傾斜している。
【００２９】
タッチパネル付き表示部７０は、表示する液晶表示器３７の表面に、使用者の指にて触れた時に、触れた位置の静電容量が変化するタッチパネル３８を設けて、制御手段９は、液晶表示器３７に表示する内容を出力し、表示した入力キーの位置座標がタッチパネル３８の静電容量が変化した位置座標と一致した場合に表示した入力キーの入力を検出するものである。
【００３０】
タッチパネル付き表示部７０の表示内容について図５を用いて説明する。
【００３１】
図５は、本体１に通電された待機状態を表示しているメニュー画面である。左端の上に、オート調理を示すオート表示７１、下には手動加熱を示す手動表示７２を配置する。オート表示７１の右には、横３列縦２段で６個のオート調理用の入力キーが表示され、手動表示７２の右には、横３列で３個の手動調理用の入力キーが表示される。
【００３２】
オート調理は、上段に左から、「あたため」キー７９，「料理集番号から」キー８０，「最近使ったメニュー」キー８１、下段に左から、「解凍下ごしらえ」キー７６，「調理分類から」キー７７，「材料から」キー７８を配置して構成されている。それぞれの入力キーを入力する操作によって、次の階層の表示へ移行し、何段階か階層を深くすることによって、所望のオート調理の料理の名称を選択できるようになっている。
【００３３】
一方、手動調理は、左から「レンジ」キー７３，「スチーム／オーブン／グリル・発酵」キー７４，「お手入れ／設定」キー７５で構成されている。それぞれの入力キーを押す操作によって、次の階層の表示へ移行して、何段階の階層を深くすることにより、所望の手動加熱による火力と加熱時間と仕上がり調整などの設定ができるようになっている。
【００３４】
また、操作キー群６０について、同様に図５で説明する。
【００３５】
操作キー群６０は、タッチパネル付き表示部７０の右に隣接して、横２個で２段に配列した４個の操作キーで構成する。上段は左から「戻る」キー５４，「おしえて」キー５５、下段は左から「庫内灯」キー５６，「簡単レンジ」キー５７を配置して構成され使い勝手を考慮してキーの面積を大きめに設定されている。それぞれのキーは後述のパネル基板４３に設けられているタクトスイッチ（図示せず）を押して制御手段９に入力している。
【００３６】
「戻る」キー５４は、タッチパネル付き表示部７０の操作中に、誤設定を訂正するときに一つ前の階層に戻るものである。「おしえて」キー５５は、音声ガイドを報知させるもので前記したＬＥＤ表示部１００の「音声」表示１０８が点灯する。「庫内灯」キー５６は、被調理物の様子を確認するときに庫内の照明（図示無し）を点灯させるものである。
【００３７】
「簡単レンジ」キー５７は、簡単に加熱設定を行うもので、選択内容としては、前述した４種類の調理を行う各加熱手段を単独もしくは組み合わせることも可能である。本実施例では「簡単レンジ」キー５７が入力されると、手動レンジ加熱が選択され、タッチパネル付き表示部７０に表示する汎用性の高い特定の二つの火力の選択キーから選択し、加熱時間設定を１０分未満に限定するレンジ加熱動作の容易な操作へ導入をするものである。
【００３８】
操作表示部６の右方で上側に加熱開始手段である「あたため／スタート」キー５２、その下側に「とりけし」キー５３を上下に並べて配置している。使い勝手を考慮して、「あたため／スタート」キー５２の方が「とりけし」キー５３よりも面積を大きく設けている。
【００３９】
また、「あたため／スタート」キー５２と、「とりけし」キー５３は、後述のパネル基板４３に設けられている機械式スイッチであるタクトスイッチ（図示せず）を押して制御手段９に入力している。
【００４０】
「あたため／スタート」キー５２の内側には、パネル基板４３に搭載するバックライト６７を備え、操作の誘導やキーの受付などを点滅，点灯で表示する。
【００４１】
「あたため／スタート」キー５２は、被調理物の重量を重量センサー５によって測定し重量に応じて加熱時間を自動で決定してレンジ加熱手段によって温める自動キーと、後述するタッチパネル付き表示部７０で操作した設定によって調理を開始するときに押すスタートキーを兼ねている。「とりけし」キー５３は、進行中の加熱を停止して、待機状態へ移行させ被調理物を取出す場合に操作するものである。
【００４２】
さらに、ＬＥＤ表示部１００の表示とその内容について図４を用いて説明する。
【００４３】
「シャッター」表示１０１は、排気口への熱気漏れを防止するために、加熱室２の排気路をシャッターで閉塞した場合に点灯する。「レンジ」表示１０２，「オーブン」表示１０３，「グリル」表示１０４，「過熱水蒸気」表示１０５，「スチーム」表示１０６は、前記したそれぞれの加熱手段が一つまたは複数組み合わせて実施されている場合に動作に合わせて点灯する。「チャイルドロック」表示１０７は、操作表示部６による操作でチャイルドロックを設定した場合に点灯する。「音声」表示１０８は、操作表示部６で「おしえて」キー５５（図５）を押下されて音声ガイドを報知する場合に点灯する。
【００４４】
次に、操作表示部６とＬＥＤ表示部１００の構造について図６〜図１０を用いて説明する。
【００４５】
図６は操作表示部６とＬＥＤ表示部１００の一体となった内部構造を示す外観図である。この図６に示す外観図を基に詳細の構造について図６〜図８を用いて説明する。
【００４６】
３１はパネルシートで、その材料は表面をハードコート処理したポリカーボネート材、もしくはアクリル材の板を使用し、操作キー群６０と「あたため／スタート」キー５２と「とりけし」キー５３を取付けるために開けた開口部３３を設け、前記タッチパネル付き表示部７０を設ける窓部３１ａと「あたため／スタート」キー５２の外周に設けたスタート外周部３１ｂは塗装を施さないように透明の状態にしている。窓部３１ａは、タッチパネル付き表示部７０を視認するためであり、スタート外周部３１ｂは、バックライト６７の光を透過するためである。
【００４７】
そして、窓部３１ａの裏側には、両面テープなどによってタッチパネル付き表示部７０を構成するタッチパネル３８を貼り付けている。
【００４８】
３６はパネルで、タッチパネル付き表示部７０を構成する液晶表示器３７を取付けるために開口したＬＣＤ開口部３６ａと、パネルシート３１の窓部３１ａの裏側に貼り付けたタッチパネル３８を埋め込む深さを設けた取付け面３６ｅと、タッチパネル３８の接続部３８ａをパネル内に引き込むための穴３６ｂと、を設けている。
【００４９】
次に、窓部３１ａ，液晶表示器３７，タッチパネル３８の寸法と位置関係について説明する。
【００５０】
図７に示すように、窓部３１ａは幅Ｃ（例えばＣ＝９６mm），高さＤ（例えばＤ＝４４mm）である。液晶表示器３７の表示部分３７ａは幅Ｅ（例えばＥ＝９９mm），高さＦ（例えばＦ＝４２mm）である。窓部３１ａと液晶表示器３７は略等しい大きさであり（幅Ｃ≒幅Ｅ，高さＤ≒高さＦ）、図８に示すように、略重なっている。
【００５１】
そのため、液晶表示器３７の表示を最大限活かして、窓部３１ａの隅々全体に図５，図９，図１０のように表示することで、視認性を確保するものである。
【００５２】
次に、タッチパネル３８が静電容量の変化を検出できる範囲の寸法は、幅Ｇ（例えばＧ＝９６mm），高さＨ（例えばＨ＝５４mm）である。窓部３１ａと対比すると幅方向では略同等（幅Ｃ≒幅Ｇ）で、窓部３１ａの左右よりも外側へ広がってはいない。一方、高さ方向では窓部３１ａは高さＤ（例えばＤ＝４４mm）に対してタッチパネル３８は高さＨ（例えばＨ＝５４mm）なので、高さＨと高さＤの寸法差Ｊ（例えばＪ＝１０）により、窓部３１ａの上下に寸法差Ｊを等分してＫ（例えばＫ＝５mm）ずつ窓部３１ａの上下の外側へ広がっている。
【００５３】
次に、タッチパネル３８の構成について図７で説明する。タッチパネル３８の検出できる範囲の寸法（幅Ｇ，高さＨ）を窓部３１ａの寸法（幅Ｃ，高さＤ）と対比して、窓部３１ａの内側に当たる部分を正常部３８ｄ（幅Ｇ，高さＤ）とする。窓部３１ａの上側の外部に当たる部分をダミー部分上３８ｂ（幅Ｇ，高さＫ）とする。窓部３１ａの下側の外部に当たる部分をダミー部分下３８ｃ（幅Ｇ，高さＫ）とする。
【００５４】
更にタッチパネル３８の入力を検出する仕組みについて説明する。
【００５５】
タッチパネル３８は、検出できる範囲の幅方向と縦方向に複数の透明電極を備え、該電極の静電容量の変化を検出するために幅方向と縦方向にマトリックスを構築して静電容量の変化した電極の位置座標を検出できるようにしている。
【００５６】
そのため、人の指などで触れると、触れた位置の前記透明電極部の静電容量が変化するため、例えば幅方向と高さ方向で示される位置座標で静電容量の変化した位置座標を制御手段９は検出できる。
【００５７】
そして、制御手段９は検出した静電容量の変化した位置の位置座標に表示している入力キーが入力されたと認識する。
【００５８】
また、入力された位置が、正常部３８ｄか、ダミー部分上３８ｂか、ダミー部分下３８ｃなのかが判るものである。
【００５９】
次に、図８によって操作表示部６の正面図で操作表示部６のパネルシート３１に対するタッチパネル付き表示部７０の配置について説明する正面図である。
【００６０】
操作表示部６において、パネルシート３１は上下左右横幅いっぱいに設けている。窓部３１ａは、パネルシート３１の上下の略中央の位置に設けられている。
【００６１】
パネルシート３１の窓部３１ａと同等の横幅で窓部３１ａの上側を上外部３１ｂ、窓部３１ａの下側を下外部３１ｃとする。その上外部３１ｂには、窓部３１ａの直ぐ上側にタッチパネル３８に設けたダミー部分上３８ｂが配置されている。また、その下外部３１ｃには、窓部３１ａの直ぐ下側にタッチパネル３８に設けたダミー部分下３８ｃが配置されている。
【００６２】
窓部３１ａと略同じ位置に重なって配置されるタッチパネルの正常部３８ｄの裏側に液晶表示部３７が配置されている。
【００６３】
以上の構成において、「簡単レンジ」キー５７が入力されて「あたため／スタート」キー５２を押下した動作について説明する。
【００６４】
「簡単レンジ」キー５７を使って、加熱する操作について図９から図１０によって説明する。まず、被調理物を加熱室２のテーブル４の上に載置させ、ドア３を閉める。操作表示部６のタッチパネル付き表示部７０の表示は、図５に示す待機状態となっている。
【００６５】
「簡単レンジ」キー５７を押下すると、タッチパネル付き表示部７０の表示は図９（ａ）に示す表示となる。
【００６６】
図９（ａ）に示すように、タッチパネル付き表示部７０の上部の全横幅に表題表示８２に「かんたんレンジ」を表示する。表題表示８２の下の空間を左右に２分割して火力を選択する「レンジ５００Ｗ」キー８３と「レンジ６００Ｗ」キー８４が表示され、この二つの火力からいずれかを選択する。
【００６７】
ここで、「レンジ５００Ｗ」キー８３と「レンジ６００Ｗ」キー８４を表示する理由は、冷凍食品のパッケージに電子レンジで加熱場合の表記として、現在普及している冷凍食品の多数は、５００Ｗの場合と６００Ｗの場合について、個数に合わせた加熱時間を表示されており、手動レンジ加熱の汎用性が最も高い火力である。そのため、使用者の使い勝手を考慮して５００Ｗと６００Ｗの二つの火力から選択させるものである。
【００６８】
そして、図９（ｂ）は、「レンジ５００Ｗ」キー８３を選択した場合を示している。選択したことによって、「レンジ５００Ｗ」キー８３が、白地に黒文字の状態から黒地に白抜き文字に変わって選択したことを表している。その後、図９（ｃ）に示す加熱時間を設定する表示に切り換わる。
【００６９】
しかし、入力キー以外の表題表示８２に触れてタッチパネル３８の表面を滑らせながら入力キーである「レンジ５００Ｗ」キー８３に移動しても「レンジ５００Ｗ」キー８３の入力は無効になり、次の設定に進むことはできないようになっている。
【００７０】
図９（ｃ）は、表題表示８２の右側に、火力表示８５に「５００Ｗ」を表示し、下段には左から「１分」キー８８，「１０秒」キー８９を配置する。
【００７１】
「１分」キー８８の直ぐ上には分の数字を表示する表示部８６を、「１０秒」キー８９の直ぐ上には秒の数字を表示する表示部８７を配置する。表題表示８２の下には、加熱時間を９分５０秒まで表示できるように分の位を表示する表示部８６と、秒の位を表示する表示部８７によって表示する。
【００７２】
分は０から９まで１分毎、秒は、０から５０秒まで１０秒毎の表示である。分の数字を表示する表示部８６を見ながら「１分」キー８８を、秒の数字を表示する表示部８７を見ながら「１０秒」キー８９を操作するのに適しており、誤操作を少なくする配置である。「１０秒」キー８９の右に「クリア」キー９０を設ける。「クリア」キー９０は、「１分」キー８８，「１０秒」キー８９で時間を設定するときに、所望の数字よりも長い時間の分秒を入力してしまった場合に、０分０秒に表示を戻すキーである。
【００７３】
次に、図９（ｄ）は、「１分」キー８８で、１分を入力後、「１０秒」キー８９を３回押下して、１分３０秒を設定したきの表示を示している。
【００７４】
ここでも、前述したように入力キー以外の表題表示８２，火力表示８５，分の数字を表示する表示部８６，秒の数字を表示する表示部８７や入力キー以外の場所に触れてタッチパネル３８の表面を滑らせながら入力キーである「１分」キー８８や「１０秒」キーに移動しても「１分」キー８８や「１０秒」キー８９の入力は受け付けないようにしている。
【００７５】
また、入力キーである「１分」キー８８に触れてタッチパネル３８の表面を滑らせながら入力キーである「１０秒」キー８９に移動した場合は、「１分」キー８８の入力のみ１回入力があったものと判断し「１０秒」キー８９の入力は受け付けないようにしている。
【００７６】
入力は、必ず入力キーの有る位置を指で触れ、続けて次の入力を行う場合は、必ずタッチパネル３８の表面から指を離してから次の入力キーに触れることで、次に触れた入力キーの入力を有効として許可するようにしている。
【００７７】
ここで、「１分」キー８８，「１０秒」キー８９，分の数字を表示する表示部８６，秒の数字を表示する表示部８７について、さらに説明する。
【００７８】
冷凍食品を加熱する場合は、レンジによる加熱時間は、個数が増えても最大１０分未満、最小の設定単位は１０秒毎のものがほとんどである。そのため、使用者が１０分未満の短時間を設定するには、１分単位で最大９分５０秒までと１０秒単位で十分である。
【００７９】
加熱時間の入力が行われると加熱開始が可能となり「あたため／スタート」キー５２の有効状態となり、「あたため／スタート」キー５２の内側に備えられたバックライト６７によって「あたため／スタート」キー５２のスタート外周部３１ｂを点滅させ誘導する。
【００８０】
前記の点滅に誘導され、「あたため／スタート」キー５２を押下すると、レンジ加熱を開始する。
【００８１】
「あたため／スタート」キー５２を押下すると、パネル基板４３に設けられているタクトスイッチ（図示せず）を押して制御手段９に「スタート」の入力を伝える。
【００８２】
加熱が開始すると、図４に示すＬＥＤ表示器１００の「レンジ」表示１０２が点灯して、レンジ加熱が行われていることを示す。
【００８３】
次に、レンジ加熱中は、図１０（ａ）に示すように、残時間を表示し、調理中であることを示す。残時間を示す表示９１には「あと」を表示し、減算時間表示９２には、１秒毎に減算した時間を表示し、１分１９秒の例を示している。
【００８４】
「１分」キー８８，「１０秒」キー８９，「クリア」キー９０が消灯し、代わって状態表示９３で「調理中です」を表示する。
【００８５】
最後に、図１０（ｂ）に示すように、タッチパネル付き表示部７０の略真ん中には状態表示９３で「調理が終了しました」を表示する。
【００８６】
最後に、タッチパネル付き表示部７０の上面など操作表示部６を雑巾で拭いた場合のタッチパネル付き表示部７０の動作について図８を用いて説明する。
【００８７】
タッチパネル付き表示部７０は、使用者の指にて触れた時の静電容量の変化した位置座標を検出するもので、濡れ雑巾などで操作表示部６を拭いた場合も、指で触れた時と同じ静電容量の変化が発生する。
【００８８】
しかし、濡れ雑巾で拭き掃除する場合は、タッチパネル付き表示部７０の静電容量の変化は、下記の点で通常の指による正常な入力と、拭き掃除による入力とでは異なる変化を示す。
【００８９】
雑巾で拭き掃除を行った場合、通常の指先の大きさと異なり一度に広範囲で静電容量の変化が発生する。
【００９０】
また、雑巾で操作表示部６を拭く場合、右側から左側へ、もしくは左側から右側へ（上側から下側へ，下側から上側へ）へと拭いた場合、タッチパネル付き表示部７０の静電容量の変化も同様に、その雑巾の動きに合わせて、静電容量の変化する位置座標も右端から左端へ、もしくは左端から右端へ（上側から下側へ，下側から上側へ）と連続的に位置が変化する。
【００９１】
さらに、静電容量の変化位置がダミー部分３８ｂと正常部３８ｄ，正常部３８ｄとダミー部分３８ｃ、あるいはダミー部分３８ｂと正常部３８ｄとダミー部分３８ｃで同時に静電容量が変化する。
【００９２】
この様な異なる点を捉え制御手段９は、静電容量の変化が入力キーを含め広い範囲で発生した場合、また、上下に設けたダミー部分３８ｅにおいて静電容量が変化している時に入力キーに入力があった場合、また、静電容量の変化する位置座標がダミー部分３８ｅから発生して連続に移動して入力キーに至った場合、さらに、静電容量の変化する位置座標が入力キー以外から発生して連続に移動して入力キーに至った場合は、入力キーの入力を受け付けないようにソフトが組み込まれている。
【００９３】
それにより、濡れ雑巾で、操作表示部６全体を拭いても、タッチパネル付き表示部７０に意図しない誤入力を防止できる。
【００９４】
また、誤入力が１回〜２回発生した場合でも、待機状態を表示しているメニュー画面から加熱開始が有効になる設定画面に到達できないようにしている。
【００９５】
また、誤入力が前記以上の回数が入力されて加熱開始が有効の状態に至っても、加熱開始手段である「あたため／スタート」キー５２を独立した機械式スイッチのタクトスイッチ（図示せず）によって構成しているので、拭き掃除による誤入力で加熱を開始することはない。
【００９６】
上記した本実施例によれば、操作表示部６を雑巾で拭いても誤入力を防止することができる。
【符号の説明】
【００９７】
１  本体
２  加熱室
３  ドア
６  操作表示部
９  制御手段
３１  パネルシート
３１ａ  窓部
３４  ボタンプレート
３４ａ，３６ｆ  板バネ
３５  防水・拡散シート
３６  パネル
３７  液晶表示器
３８  タッチパネル
３８ｅ  ダミー部分
４４  入力キー
４９  ボス
５８  入力部
６０  操作キー群
６８  押下部
７０  タッチパネル付き表示部
【図１】
2012247144.tif 000003
【図２】
2012247144.tif 000004
【図３】
2012247144.tif 000005
【図４】
2012247144.tif 000006
【図５】
2012247144.tif 000007
【図６】
2012247144.tif 000008
【図７】
2012247144.tif 000009
【図８】
2012247144.tif 000010
【図９】
2012247144.tif 000011
【図１０】
2012247144.tif 000012